(57)【特許請求の範囲】
【請求項１】
基礎地盤上に擁壁ブロックを段積みして構築する擁壁構造であって、
中空円柱状の形状を有する複数の擁壁ブロックと、
擁壁ブロックの内部空間及び擁壁ブロックの外周空間であって、擁壁ブロックと法面により画成される空間に充填された中詰材とからなり、
段積みした擁壁ブロックの上段側擁壁ブロックと下段側擁壁ブロックとが千鳥状に配置され、
当該擁壁ブロックの下端面には少なくとも３つの凹部が設けられており、
段積みした擁壁ブロックの上段側擁壁ブロックの下端面に設けられた少なくとも３つの凹部と下段側擁壁ブロックの上端面が嵌り合っており、
当該擁壁ブロックの各々の外周面には、半径方向に突出した複数の突起部が設けられ、水平面内に配置された隣り合う擁壁ブロックの当該突起部同士が互いに噛合うように配置されていることを特徴とする擁壁構造。
【請求項２】
基礎地盤上に擁壁ブロックを段積みして構築する擁壁構造であって、
中空円柱状の形状を有する複数の擁壁ブロックと、
擁壁ブロックの内部空間及び擁壁ブロックの外周空間であって、擁壁ブロックと法面により画成される空間に充填された中詰材とからなり、
段積みした擁壁ブロックの上段側擁壁ブロックと下段側擁壁ブロックとが千鳥状に配置され、
当該擁壁ブロックの上端面には少なくとも３つの凹部が設けられており、
段積みした擁壁ブロックの下段側擁壁ブロックの上端面に設けられた少なくとも３つの凹部と上段側擁壁ブロックの下端面が嵌り合っており、
当該擁壁ブロックの各々の外周面には、半径方向に突出した複数の突起部が設けられ、水平面内に配置された隣り合う擁壁ブロックの当該突起部同士が互いに噛合うように配置されていることを特徴とする擁壁構造。
【請求項３】
基礎地盤上に擁壁ブロックを段積みして構築する擁壁構造であって、
中空円柱状の形状を有する複数の擁壁ブロックと、
擁壁ブロックの内部空間及び擁壁ブロックの外周空間であって、擁壁ブロックと法面により画成される空間に充填された中詰材とからなり、
段積みした擁壁ブロックの上段側擁壁ブロックと下段側擁壁ブロックとが千鳥状に配置され、
当該擁壁ブロックの上端面と下端面には、各々少なくとも３つの凹部が設けられており、
段積みした擁壁ブロックの下段側擁壁ブロックの上端面に設けられた少なくとも３つの凹部と上段側擁壁ブロックの下端面に設けられた少なくとも３つの凹部とが互いに嵌り合っており、
当該擁壁ブロックの各々の外周面には、半径方向に突出した複数の突起部が設けられ、水平面内に配置された隣り合う擁壁ブロックの当該突起部同士が互いに噛合うように配置されていることを特徴とする擁壁構造。
【請求項４】
請求項１乃至３に記載された擁壁構造において、前記突起部は、擁壁ブロックの全高に亘って伸びていることを特徴とする擁壁構造。
【請求項５】
請求項１乃至４のいずれかに記載された擁壁構造において、更に、
擁壁ブロックの裏面側と法面の間、又は擁壁ブロックの中に土嚢ブロックが配置されて
いることを特徴とする擁壁構造。
【請求項６】
請求項１乃至５のいずれかに記載された擁壁構造において、
前記基礎地盤が、複数の地盤ブロックを設置した強化地盤から構成され、当該地盤ブロックは平板状であって、当該地盤ブロックには、地盤ブロック上に配置される擁壁ブロックの中空部分と連通する中空部分が設けられ、
地盤ブロックの中空部分と、地盤ブロックの上に配置された擁壁ブロックの中空部分には、中詰材または土嚢ブロックが連続して配置されていることを特徴とする擁壁構造。
【発明の詳細な説明】
【技術分野】
【０００１】
本発明は、道路工事における擁壁、例えば直立擁壁、河川工事における護岸擁壁、例えば多段積護岸擁壁や緑化型自然護岸擁壁、宅地造成工事の土留擁壁、海岸堤防の護岸擁壁、例えば築堤護岸擁壁、あるいは城壁や石垣等の景観擁壁などの構築に使用される擁壁構造に関するものである。
【背景技術】
【０００２】
このような擁壁構造の例としては、基礎地盤上に配設した基礎部上にブロック３２を段積みして構築する構造物に係る先行技術がある。（特許文献１参照）
この先行技術における段積みブロック３２は、前壁３３及び後壁３４と、両前・後壁３３、３４を連結する連結体（左・右側壁３５、３６）とを具備し、上下方向に開口する四角形筒状に形成され、後壁３４は前壁３３の半分以下の高さに設定されている。  また、左・右側壁３５、３６の上部間には、滑動抵抗体４０が横架されている。
【０００３】
そして、ブロックを段積みして形成される各段の上下境界面位置に、下段ブロック側と上段ブロック側に跨がるよう滑動抵抗体４０が配置され、下段ブロックの前壁３３と同下段ブロック側の滑動抵抗体４０の部分との間に形成される空間に、拘束層形成材（胴込め材３１：砕石、栗石等）を充填して下段側の前部拘束層を形成すると共に、同下段ブロック側の滑動抵抗体４０の部分と同下段ブロックの後壁ないしは構造物の背後に形成されている法面との間に形成される空間に、拘束層形成材（裏込め材１７）を充填して下段側の後部拘束層を形成するようになっている。
【０００４】
また、上段ブロックの前壁３３と同上段ブロック側の滑動抵抗体４０の部分との間に形成される空間に、拘束層形成材（胴込め材３１：砕石、栗石等）を充填して上段側の前部拘束層を形成すると共に、同上段ブロック側の滑動抵抗体４０の部分と同上段ブロックの後壁３４との間に形成される空間に、拘束層形成材（胴込め材３１：砕石、栗石等）を充填して上段側の後部拘束層を形成して、前記各段の上下境界面位置にて、上・下段の前部拘束層を上下方向に連続させると共に、上・下段の後部拘束層を上下方向に連続させて、上下方向に連続する前部拘束層と上下方向に連続する後部拘束層が、上記滑動抵抗体４０を介して反力（受働）を発揮することにより、上下境界面におけるブロックの滑動抵抗力を強化した擁壁ブロックの上下境界部構造を備えた擁壁構造としている。
【先行技術文献】
【特許文献】
【０００５】
【特許文献１】特開２０１１−２０２４９９号公報
【発明の概要】
【発明が解決しようとする課題】
【０００６】
前記特許文献１が開示する発明の擁壁構造においては、前壁３３、後壁３４、両前・後壁３３、３４を連結する連結体（左・右側壁３５、３６）、および左・右側壁３５、３６の上部間に配置された滑動抵抗体４０からなる擁壁ブロックは、横長の四角形枠状となっているため、平面的な法面を形成する擁壁を構築するのには都合がよくても、立体的な曲面を有する法面を形成する擁壁の構築には不向きであった。
【０００７】
また、前記特許文献１が開示する発明の擁壁ブロックは、水平方向及び上下方向に隣接する擁壁ブロックが互いに連結されておらず、各々の擁壁ブロックが独立して配置されているため、法面における土圧が不均一になると一部の擁壁ブロックが滑動したり、傾いたりすることにより、擁壁面全体に歪みが生じたり、極端な場合には擁壁面が崩壊する可能性があった。
【０００８】
更に、前記特許文献１が開示する発明の擁壁構造においては、擁壁ブロックの内部に形成された空間、および擁壁ブロックと法面との間の空間には、胴込め材３１や裏込め材１７を充填する必要があることから、大量の砕石や栗石等が必要になると共に、擁壁施工現場において大量の砕石や栗石等を充填することが必要になり、施工性が悪いという問題があった。
【０００９】
本発明は、従来技術のかかる問題に鑑みてなされたものであり、立体的な曲面を有する法面を形成する擁壁を自由に構築することができ、更に一部の擁壁ブロックが滑動したり、傾いたりすることにより、擁壁面全体に歪みが生じたり、擁壁面が崩壊することのない擁壁構造であって、大量の砕石や栗石等を使用せず、土木廃材等を有効に活用した、コスト低減効果の大きい擁壁構造を提供することを課題とするものである。
【課題を解決するための手段】
【００１０】
上述した課題を解決するため、第１の観点にかかる発明においては、基礎地盤上に擁壁ブロックを段積みして構築する擁壁構造であって、中空円柱状の形状を有する複数の擁壁ブロックと、擁壁ブロックの内部空間及び擁壁ブロックの外周空間であって、擁壁ブロックと法面により画成される空間に充填された中詰材とからなり、段積みした擁壁ブロックの上段側擁壁ブロックと下段側擁壁ブロックとが千鳥状に配置され、擁壁ブロックの下端面には少なくとも３つの凹部が設けられており、段積みした擁壁ブロックの上段側擁壁ブロックの下端面に設けられた少なくとも３つの凹部と下段側擁壁ブロックの上端面が嵌り合っており、擁壁ブロックの各々の外周面には、半径方向に突出した複数の突起部が設けられ、水平面内に配置された隣り合う擁壁ブロックの突起部同士が互いに噛合うように配置されている構成の擁壁構造とした。
【００１１】
また、第２の観点にかかる発明においては、基礎地盤上に擁壁ブロックを段積みして構築する擁壁構造であって、中空円柱状の形状を有する複数の擁壁ブロックと、擁壁ブロックの内部空間及び擁壁ブロックの外周空間であって、擁壁ブロックと法面により画成される空間に充填された中詰材とからなり、段積みした擁壁ブロックの上段側擁壁ブロックと下段側擁壁ブロックとが千鳥状に配置され、擁壁ブロックの上端面には少なくとも３つの凹部が設けられており、段積みした擁壁ブロックの下段側擁壁ブロックの上端面に設けられた少なくとも３つの凹部と上段側擁壁ブロックの下端面が嵌り合っており、擁壁ブロックの各々の外周面には、半径方向に突出した複数の突起部が設けられ、水平面内に配置された隣り合う擁壁ブロックの突起部同士が互いに噛合うように配置されている構成の擁壁構造とした。
【００１２】
また、第３の観点にかかる発明においては、基礎地盤上に擁壁ブロックを段積みして構築する擁壁構造であって、中空円柱状の形状を有する複数の擁壁ブロックと、擁壁ブロックの内部空間及び擁壁ブロックの外周空間であって、擁壁ブロックと法面により画成される空間に充填された中詰材とからなり、段積みした擁壁ブロックの上段側擁壁ブロックと下段側擁壁ブロックとが千鳥状に配置され、擁壁ブロックの上端面と下端面には、各々少なくとも３つの凹部が設けられており、段積みした擁壁ブロックの下段側擁壁ブロックの上端面に設けられた少なくとも３つの凹部と上段側擁壁ブロックの下端面に設けられた少
なくとも３つの凹部とが互いに嵌り合っており、擁壁ブロックの各々の外周面には、半径方向に突出した複数の突起部が設けられ、水平面内に配置された隣り合う擁壁ブロックの突起部同士が互いに噛合うように配置されている構成の擁壁構造とした。
【００１３】
また、第４の観点にかかる発明においては、第１乃至３の観点のいずれかにかかる発明の擁壁構造において、突起部は、擁壁ブロックの全高に亘って伸びている構成の擁壁構造とした。
【００１４】
また、第５の観点にかかる発明においては、第１乃至第４の観点のいずれかにかかる発明の擁壁構造において、更に、擁壁ブロックの裏面側と法面の間、及び／又は擁壁ブロックの中に土嚢ブロックが配置されている構成の擁壁構造とした。
【００１５】
また、第６の観点にかかる発明においては、第１乃至第５の観点のいずれかにかかる発明の擁壁構造において、基礎地盤が、複数の地盤ブロックを設置した強化地盤から構成され、地盤ブロックは平板状であって、地盤ブロックには、地盤ブロック上に配置される擁壁ブロックの中空部分と連通する中空部分が設けられ、地盤ブロックの中空部分と、地盤ブロックの上に配置された擁壁ブロックの中空部分には、中詰材または土嚢ブロックが連続して配置されていることを特徴とする擁壁構造。
【発明の効果】
【００１６】
本発明によれば、中空円柱状の形状を有する擁壁ブロックを採用したため、立体的な曲面を有する法面を形成する擁壁を自由に構築することができる。
【００１７】
また、上段側擁壁ブロックと下段側擁壁ブロックに凹部を設け、少なくとも３つの凹部を上段側擁壁ブロック又は下段側擁壁ブロックと嵌め合せることにより、上段側擁壁ブロックと下段側擁壁ブロックを水平面内において強固に連結したことにより、土圧の変化や地震等により一部の擁壁ブロックが滑動したり、傾いたりすることがなく、その結果、擁壁面全体に歪みが生じたり、擁壁面が崩壊することのない強固な擁壁構造を構築することができる。
【００１８】
また、擁壁ブロックの各々の外周面に、半径方向に突出した複数の突起部を設け、水平面内に配置された隣り合う擁壁ブロックの突起部同士が互いに噛合うように配置したことにより、隣り合う擁壁ブロックをより強固に連結することが可能となり、擁壁構造を更に強固にすることが可能となった。
【００１９】
また、本発明によれば、擁壁ブロックの裏面側と法面の間、又は擁壁ブロックの中に土嚢ブロックを配置すると共に、擁壁ブロックの内部空間及び土嚢ブロックの外周空間であって、土嚢ブロックと擁壁ブロックと法面により画成される空間に中詰材を充填する構成の擁壁構造としたため、砕石や栗石等から成る中詰材を減らすことができると共に、土嚢ブロックには土木廃材等を充填することができるため土木廃材等の有効活用に繋がり、中詰材のコスト低減と擁壁施工現場における施工性の向上を図ることができる。
【００２０】
また、砕石や栗石等から成る中詰材を土嚢ブロックの外周に配置する構成としているため、水抜きが容易であり、その結果擁壁構造の強度向上を図ることができる。
【図面の簡単な説明】
【００２１】
【図１】図１は、本発明に係る擁壁ブロックの１つの実施例を示したものであり、上端面に凹部が設けられた擁壁ブロックを示したものである。
【図２】図２は、図１に示す擁壁ブロックを使用した擁壁構造の１例を示したものであり、擁壁構造の斜視図および平面図を示したものである。
【図３】図３は、本発明に係る擁壁ブロックの別の実施例を示したものであり、下端面に凹部が設けられた擁壁ブロックを示したものである。
【図４】図４は、図２に示す擁壁ブロックを使用した擁壁構造の１例を示したものであり、擁壁構造の斜視図および平面図を示したものでる。
【図５】図５は、本発明に係る擁壁ブロックの更に別の実施例を示したものであり、上端面および下端面に凹部が設けられた擁壁ブロックを示したものである。
【図６】図６は、図５に示す擁壁ブロックを使用した擁壁構造の１例を示したものであり、擁壁構造の斜視図および平面図を示したものである。
【図７】図７は、本発明に係る擁壁ブロックの更に別の実施例を示したものであり、上端面および下端面に凹部を設けると共に、擁壁ブロックの外周面に半径方向に突出した複数の突起部を設けた擁壁ブロックを示したものである。  図７−２は、図７に示す実施例において、上端面にのみ凹部を設けた実施例を示したものである。  また、図７−３は、図７に示す実施例において、上端面にのみ凹部を設けると共に、擁壁ブロックの側面（胴部）に貫通穴を設けた実施例を示したものである。
【図８】図８は、図７に示す擁壁ブロックを使用した擁壁構造の１例を示したものであり、擁壁構造の斜視図および平面図を示したものである。
【図９】図９、図９−２、図９−３、図９−４は、本発明にかかる擁壁構造の１例であって、擁壁ブロックを１列配置した擁壁構造の水平断面を示したものである。
【図１０】図１０、図１０−２、図１０−３、図１０−４は、本発明にかかる擁壁構造の１例であって、擁壁ブロックを２列配置した擁壁構造の水平断面を示したものである。
【図１１】図１１、図１１−２、図１１−３、図１１−４は、本発明にかかる擁壁構造の１例であって、擁壁ブロックを２列千鳥配置した擁壁構造の水平断面を示したものである。
【図１２】図１２は、本発明にかかる地盤ブロックの１つの実施例を示したものである。
【発明を実施するための形態】
【００２２】
以下、図面を用いて本発明の実施形態について説明する。  図１は、本発明に係る擁壁ブロック１０の１つの実施例を示したものである。
【００２３】
擁壁ブロック１０は、中空円柱状の形状を有し、直径（D）、高さ（L）、肉厚（T）等の寸法は特に限定されるものではない。
なお、本明細書において中空円柱状の形状とは、断面外周および断面内周が円に限定されるものではなく、楕円、５角形以上の多角形を含む概念であり、更に、円錐台や角錐台も含む概念である。
【００２４】
擁壁ブロック１０は、コンクリートを使用して形成することができる。  使用するコンクリートとしては、透水性コンクリートおよび非透水性コンクリートのいずれであってもよい。
また、擁壁ブロック１０はコンクリート製に限定されるものではなく、防錆処理をした鉄等の金属製としたり、耐腐食性を備えた樹脂材料製、あるいは樹脂系複合材料製としても良い。
【００２５】
擁壁ブロック１０の上端面には少なくとも３つの凹部１１−１が設けられている。  このような擁壁ブロック１０が段積みされた時に、上段側擁壁ブロック１０の下端面と、下段側擁壁ブロック１０の上端面に設けられた凹部１１−１が嵌り合うようになっている。
【００２６】
なお、擁壁ブロック１０の上端面には３つの凹部１１−１が設けられているとして説明したが、これに限定されるものではない。  擁壁ブロック１０の上端面に設ける凹部１１−１は、３以上の凹部から構成されるようになっていても良い。
【００２７】
擁壁ブロック１０の上端面に設けられた凹部１１−１は、例えば、コンクリート製の擁壁ブロック１０の場合、コンクリートを型枠に流し込み硬化させる際に一体的に形成するようにしても良いし、凹部１１−１以外の部分を構成する部材を擁壁ブロック１０の上端面に組み付けることにより構成するようにしても良い。
【００２８】
擁壁ブロック１０の上端面に設けられた凹部１１−１の形状は、特に限定されるものではなく、凹部１１−１が上段側擁壁ブロックの下端面と嵌り合ったときに、水平面内において互いの動きを拘束し得るものであれば良い。  このように、下段側擁壁ブロックの上端面の凹部１１−１と上段側擁壁ブロックの下端面とが嵌り合うことにより、水平面内において互いの動きを拘束し合うことになり、上段側擁壁ブロック１０または下段側擁壁ブロック１０に水平面内の外力が作用したとしても、上段側擁壁ブロック１０と下段側擁壁ブロック１０は相対的にずれることはなく、強固に連結し合うようになる。
【００２９】
図２は、図１に示す本発明に係る擁壁ブロック１０を段積みした擁壁構造１の１つの実施例を示したものであり、下段側擁壁ブロック１０に対して上段側擁壁ブロック１０を法面４０側へずらすと共に、上段側擁壁ブロック１０は、下段側擁壁ブロック１０に対して千鳥状に配置されている。
【００３０】
ここで、「上段側擁壁ブロック１０と下段側擁壁ブロック１０とが千鳥状に配置される」とは、図２に示すように、１つの下段側擁壁ブロック１０の上に、少なくとも２つの上段側擁壁ブロック１０が載置された状態に段積みすることをいう。
なお、図２では、理解を容易にするために、擁壁ブロック１０を２段のみ積んだ図を示しているが、擁壁ブロック１０の段数はこれに限定されるものではない。
【００３１】
ここで説明したように、上段側擁壁ブロック１０と下段側擁壁ブロック１０が千鳥状に配置され、下段側擁壁ブロックの上端面の凹部１１−１と上段側擁壁ブロックの下端面とが嵌り合うことにより、水平面内において互いの動きを拘束し合うことは、擁壁ブロック１０間の水平面内での拘束関係が、上下方向の擁壁ブロック１０の間の拘束関係に留まらず、横方向の擁壁ブロック１０の間の拘束をも生じさせるものであり、擁壁ブロック１０の間の拘束関係は、擁壁構造全体に亘って順次ネットワークのように広がっていくため、擁壁構造１全体が１つの剛な壁面として構成されるようになる。
【００３２】
したがって、土圧の変化や地震等により一部の擁壁ブロックが滑動したり、傾いたりすることがなく、その結果、擁壁面全体に歪みが生じたり、擁壁面が崩壊することのない強固な擁壁構造１を構築することができる。
【００３３】
図２に示した擁壁構造１では、下段側擁壁ブロック１０に対して上段側擁壁ブロック１０が法面４０側へずれた状態（後退した状態）で段積みされているが、これに限定されるものではなく、下段側擁壁ブロック１０に対して上段側擁壁ブロック１０が法面４０側へずれない状態（垂直な壁面を構成する状態）で段積みするようにしても良い。  また、下段側擁壁ブロック１０に対して上段側擁壁ブロック１０を法面４０側へずらす距離を変えて段積みしていく構成とすることも可能である。
【００３４】
また、図２に示した擁壁構造１では、同じ大きさの擁壁ブロック１０を並べて段積みすると共に、法面に垂直な方向に対して１列の擁壁ブロック１０を並べることによって擁壁構造１を構成するようにしているが、このような構成に限定されるものではなく、大きさの異なる擁壁ブロック１０を組み合わせて段積みするようにしても良いし、法面に垂直な方向に対して複数列の擁壁ブロック１０を並べるようにしても良い。
【００３５】
図９、図９−２、図９−３、図９−４は、本発明にかかる擁壁構造１の１例であって、擁壁ブロック１０を１列配置した擁壁構造１の水平断面を示したものであり、図１０、図１０−２、図１０−３、図１０−４は、本発明にかかる擁壁構造１の１例であって、擁壁ブロック１０を２列配置した擁壁構造１の水平断面を示したものである。
また、図１１、図１１−２、図１１−３、図１１−４は、本発明にかかる擁壁構造１の１例であって、擁壁ブロック１０を２列千鳥配置した擁壁構造１の水平断面を示したものである。
【００３６】
そして、擁壁ブロック１０を１列配置した擁壁構造１、擁壁ブロック１０を２列配置した擁壁構造１、および擁壁ブロック１０を２列千鳥配置した擁壁構造１のそれぞれにおいて、
（１）  擁壁ブロック１０の中および擁壁ブロック１０と法面４０の間の空間には中詰材３０を充填した構成の擁壁構造１としても良いし、（図９、図１０、図１１参照）
（２）  法面４０の前面に土嚢ブロック２０を配置し、擁壁ブロック１０の中および擁壁ブロック１０と土嚢ブロック２０の間の空間には中詰材３０を充填した構成の擁壁構造１としても良いし、（図９−２、図１０−２、図１１−２参照）
（３）  擁壁ブロック１０の中には土嚢ブロック２０を配置し、擁壁ブロック１０と法面４０の間の空間には中詰材３０を充填した構成の擁壁構造１としても良いし、（図９−３、図１０−３、図１１−３参照）更には
（４）  法面４０の前面に土嚢ブロック２０を配置し、擁壁ブロック１０の中には土嚢ブロック２０を配置し、擁壁ブロック１０と土嚢ブロック２０の間の空間には中詰材３０を充填した構成の擁壁構造１とすることもできる。（図９−４、図１０−４、図１１−４参照）
【００３７】
ここで、土嚢ブロック２０は土嚢袋体２１に、土嚢中詰材２３を詰めたものである。
本発明における土嚢袋体２１としては、合成樹脂繊維織布シートで製作した袋や、土嚢中詰材２３を収納保持し得る程度のメッシュを有する金網構造又は合成樹脂繊維製網構造の袋体が使用され、角形、球形、円筒形等の形状のものを使用することができる。
【００３８】
土嚢袋体２１には、他の構造物に連結するための１又は複数個所の固定部２２が設けられている。  土嚢中詰材としては、土木廃材等を直接詰め込むこともできるし、土木廃材等を粉砕した後に詰め込むようにしても良い。  もちろん土木廃材等以外の土砂や砕石等の骨材、あるいは土壌を詰めることもできる。  土嚢中詰材２３に土木廃材等を詰め込むことにより、土木廃材等の有効利用を促進することができる。  また、土嚢中詰材２３に土壌を詰め込むことにより、植栽の生育土壌として利用することも可能となる。
【００３９】
なお、上述した実施形態においては、１つの擁壁ブロック１０に対して１つの土嚢ブロック２０を使用した構成として示しているが、これに限定されるものではなく、１つの擁壁ブロック１０に対して２つ以上の土嚢ブロック２０を使用するようにしても良い。  また、複数の擁壁ブロック１０に対して１つの土嚢ブロック２０を使用する構成とすることもできる。
【００４０】
また、中詰材３０としては、砕石や栗石等を使用することができる。
【００４１】
ここでは、擁壁ブロック１０の内部に土嚢ブロック２０を配置する実施例や中詰材３０を充填する実施例について説明したが、本発明はこのような実施例に限定されるものではない。  土嚢ブロック２０を配置することに代えて、擁壁構造１を施工する段階において、現場にて擁壁ブロック１０の内部にコンクリートを流し込み、これを固めて擁壁構造１を構築するようにしても良い。
【００４２】
また、擁壁構造１を構築する際に、基礎地盤５０を改良するようにしても良い。  この場合、基礎地盤５０に複数の地盤ブロック５１を設置した構成の擁壁構造１とすることもできる。
【００４３】
この地盤ブロック５１としては、図１２に示すようなコンクリート製であって、略矩形板状の形状を有するブロックとすることができる。  また、図１２に示す地盤ブロックでは、地盤ブロック５１上に擁壁ブロック１０を段積みした際に、最下段の擁壁ブロック１０が法面とは反対側へ滑動するのを防止するための段部５１−１を設けて、擁壁ブロック１０の下端部が段部５１−１に引っかかるようにしても良い。
【００４４】
また、地盤ブロック５１上に擁壁ブロック１０を段積みした際に、最下段の擁壁ブロック１０の中空部分と連通する中空部分５１−２を地盤ブロック５１に設けることにより、地盤ブロック５１の中空部分５１−２と、地盤ブロック５１の上に配置された擁壁ブロック１０の中空部分に、中詰材３０または土嚢ブロック２０を連続して配置できるようにしても良い。  このようにすることにより、地盤ブロック５１と擁壁ブロック１０とが、水平面内において滑動するのを防止することができるようになる。
【００４５】
なお、ここでは、地盤ブロック５１の形状が略矩形板状であるとして説明したが、このような形状に限定されるものではなく、格子状の形状であったり、その他の形状を採用することもできる。
【００４６】
このように、基礎地盤５０に地盤ブロック５１を適用し、強化した基礎地盤５０の上に上述した擁壁構造１を構築することにより、軟弱な地盤においても堅固な擁壁構造１を構築することが可能となる。
【００４７】
図３は、本発明に係る擁壁ブロック１０の別の実施例を示したものであり、図４は、図３に示す本発明に係る擁壁ブロック１０を段積みした擁壁構造１の別の実施例を示したものである。  ここでは、図１および図２に示す擁壁ブロック１０および擁壁構造１と異なる点についてのみ説明することとするが、ここで言及しない点については、図１および図２に示す擁壁ブロック１０および擁壁構造１で説明した内容と同じである。
【００４８】
図３に示す擁壁ブロック１０では、擁壁ブロック１０の下端面には少なくとも３つの凹部１１−１が設けられている。  このような擁壁ブロック１０が段積みされた時に、上段側擁壁ブロック１０の下端面に設けられた凹部１１−１と、下段側擁壁ブロック１０の上端面が嵌り合うようになっている。
【００４９】
図３に示す本発明に係る擁壁ブロック１０を段積みした擁壁構造１の別の実施例（図４参照）では、下段側擁壁ブロック１０に対して上段側擁壁ブロック１０を法面４０側へずらすと共に、上段側擁壁ブロック１０は、下段側擁壁ブロック１０に対して千鳥状に配置している。
【００５０】
その結果、下段側擁壁ブロック１０の上端面と上段側擁壁ブロックの下端面に設けた凹部１１−１とが嵌り合うことにより、水平面内において互いの動きを拘束し合うことになり、擁壁ブロック１０間の水平面内での拘束関係が、上下方向の擁壁ブロック１０の間の拘束関係に留まらず、横方向の擁壁ブロック１０の間の拘束をも生じさせるものとなり、擁壁ブロック１０の間の拘束関係は、擁壁構造１全体に亘って順次ネットワークのように広がっていくため、擁壁構造１全体が１つの剛な壁面として構成されるようになる。
【００５１】
図５に示す擁壁ブロック１０では、擁壁ブロック１０の下端面および上端面には各々少なくとも３つの凹部１１−１が設けられている。  このような擁壁ブロック１０が段積みされた時に、上段側擁壁ブロック１０の下端面に設けられた凹部１１−１と、下段側擁壁ブロック１０の上端面に設けられた凹部１１−１が互いに嵌り合うようになっている。
【００５２】
図５に示す本発明に係る擁壁ブロック１０を段積みした擁壁構造１の更に別の実施例（図６参照）では、下段側擁壁ブロック１０に対して上段側擁壁ブロック１０を法面４０側へずらすと共に、上段側擁壁ブロック１０は、下段側擁壁ブロック１０に対して千鳥状に配置している。
【００５３】
その結果、下段側擁壁ブロック１０の上端面に設けた凹部１１−１と上段側擁壁ブロック１０の下端面に設けた凹部１１−１とが互いに嵌り合うことにより、水平面内において互いの動きを拘束し合うことになり、擁壁ブロック１０間の水平面内での拘束関係が、上下方向の擁壁ブロック１０の間の拘束関係に留まらず、横方向の擁壁ブロック１０の間の拘束をも生じさせるものとなり、擁壁ブロック１０の間の拘束関係は、擁壁構造１全体に亘って順次ネットワークのように広がっていくため、擁壁構造１全体が１つの剛な壁面として構成されるようになる。
【００５４】
図７は、本発明に係る擁壁ブロック１０の、更に別の実施例を示したものであり、図８は、図７に示す本発明に係る擁壁ブロック１０を段積みした擁壁構造１の、更に別の実施例を示したものである。  ここでは、図５および図６に示す擁壁ブロック１０および擁壁構造１と異なる点についてのみ説明することとするが、ここで言及しない点については、図５および図６に示す擁壁ブロック１０および擁壁構造１で説明した内容と同じである。
【００５５】
図７に示す擁壁ブロック１０の外周面には、半径方向に突出した、断面が半円弧状の突起部１２が複数個設けられている。  図７に示す擁壁ブロック１０では、この半円弧状の突起部１２は、擁壁ブロック１０の全高に亘って伸びているが、このような態様に限定されるものではなく、突起部１２は、擁壁ブロック１０の高さ方向中央部分のみに設けたり、擁壁ブロック１０の上端側端部、あるいは下端側端部にのみ設けるようにしても良い。
【００５６】
ただし、図７に示す擁壁ブロック１０を図８に示すように段積みした場合に、水平面内に配置された隣り合う擁壁ブロック１０の突起部１２同士が互いに噛合うように配置されるようになっている必要がある。
【００５７】
このように、擁壁ブロック１０の外周面に複数の突起部１２を設け、水平面内に配置された隣り合う擁壁ブロック１０の突起部１２同士が互いに噛合うように配置することにより、水平面内に配置された擁壁ブロック１０の間において、擁壁ブロック１０同士が水平面内において互いに拘束し合うことになるため、擁壁構造１全体が更に剛な壁面として構成されるようになる。
【００５８】
ここでは、擁壁ブロック１０の外周面に設けられた突起部１２の断面形状が、半円弧状であるとして説明したがこれに限定されるものではなく、断面形状が矩形、三角形、台形、あるいは平歯車の歯形のような形状にしても良い。
【００５９】
なお、図７に示す擁壁ブロック１０では、擁壁ブロック１０の上端面と下端面に凹部１１−１が設けられているが、これに限定されるものではない、擁壁ブロック１０の上端面のみ（図７−２参照）、あるいは下端面のみに凹部１１−１を設けるようにしても良い。
【００６０】
また、これまで説明してきたすべての実施例に係る擁壁ブロック１０において、擁壁ブロック１０の側面（胴部）の任意の個所に貫通穴１３を設けるようにしても良い。  このような構成の擁壁ブロック１０とすることにより、擁壁構造を構築した際に、擁壁ブロック１０の内部の中詰材３０あるいは土嚢ブロック２０と擁壁ブロック１０の外部の中詰材３０あるいは土嚢ブロック２０とに連続性を持たせることができ、擁壁ブロック１０の外周面に沿ったせん断荷重を伝達することが可能になり、より強固な擁壁構造を構築することが可能となる。
【００６１】
図７−３は、図７に示す擁壁ブロック１０を例にとり、側面（胴部）に貫通穴１３を設けた擁壁ブロック１０の実施例を示したものである。
【符号の説明】
【００６２】
１０      擁壁ブロック
１１−１  凹部
１２      突起部
１３      貫通穴
２０      土嚢ブロック
２１      土嚢袋体
２２      固定部
２３      土嚢中詰材
３０      中詰材
４０      法面
５０      基礎地盤
５１      地盤ブロック
５１−１  段部
５１−２  中空部分
【図１】
0006444151.tif 000002
【図２】
0006444151.tif 000003
【図３】
0006444151.tif 000004
【図４】
0006444151.tif 000005
【図５】
0006444151.tif 000006
【図６】
0006444151.tif 000007
【図７】
0006444151.tif 000008
【図７−２】
0006444151.tif 000009
【図７−３】
0006444151.tif 000010
【図８】
0006444151.tif 000011
【図９】
0006444151.tif 000012
【図９−２】
0006444151.tif 000013
【図９−３】
0006444151.tif 000014
【図９−４】
0006444151.tif 000015
【図１０】
0006444151.tif 000016
【図１０−２】
0006444151.tif 000017
【図１０−３】
0006444151.tif 000018
【図１０−４】
0006444151.tif 000019
【図１１】
0006444151.tif 000020
【図１１−２】
0006444151.tif 000021
【図１１−３】
0006444151.tif 000022
【図１１−４】
0006444151.tif 000023
【図１２】
0006444151.tif 000024